(57)【要約】  ポンプに筒状のマッサージ部材を連結する。マッサージ部材の嵌合部にはシール面を形成するとともに、その嵌合部の端縁にはフランジを形成する。ポンプには前記シール面に圧接される圧接部と前記フランジに係合する係合部とを形成する。そして、マッサージ部材の先端を皮膚に当てるとともに、ポンプを圧搾させることにより、マッサージ部材の先端の吸引口内を負圧にして、その吸引口内を負圧にした状態を維持しながら、美容マッサージ器を移動させて、マッサージ部材の先端を皮膚上において滑らせる。
2020162539.tif 000002
【特許請求の範囲】
【請求項１】
バルーンポンプの開口部の内側に、先端を吸引口とした筒状のマッサージ部材の基端側の嵌合部を連結した美容マッサージ器において、
前記嵌合部の外周面にはシール面を形成するとともに、前記嵌合部の端縁には係止部を形成し、前記バルーンポンプの開口部には前記シール面に圧接される圧接部と前記係止部に係合する被係合部とを形成した、美容マッサージ器。
【請求項２】
請求項１に記載の美容マッサージ器を用い、前記マッサージ部材の先端を皮膚に当てるとともに、バルーンポンプを圧搾させることにより、吸引口内を負圧にして、その吸引口内を負圧にした状態を維持しながら、美容マッサージ器を移動させて、マッサージ部材の先端を皮膚上において滑らせる、美容マッサージ方法。
【請求項３】
請求項１に記載に美容マッサージ器において、
前記マッサージ部材の内部に設けられ、先端に前記吸引口を有する通気路にオリフィスを形成した、美容マッサージ器。
【請求項４】
請求項３に記載の美容マッサージ器において、
前記吸引口を楕円形に形成するとともに、前記オリフィスをスリットによって構成し、そのオリフィスを前記吸引口の長軸方向に沿って延びるように配置した、美容マッサージ器。
【請求項５】
請求項３又は４に記載の美容マッサージ器において、
前記マッサージ部材の前記バルーンポンプ側の面には、前記オリフィスに向かって集束する面を形成した、美容マッサージ器。
【請求項６】
請求項３〜５のうちのいずれか一項に記載の美容マッサージ器において、
前記マッサージ部材の前記吸引口側の面の中央部に窪み部を形成した、美容マッサージ器。
【請求項７】
請求項３〜６のうちのいずれか一項に記載の美容マッサージ器において、
前記マッサージ部材の前記吸引口側の面の一端部に凸部を形成した、美容マッサージ器。
【請求項８】
ポンプと、そのポンプの開口部に連結され、身体表面部を吸引するための吸引口を有する施術部とを備え、その施術部は、側方からの投影面積が最大となる面を側面に有する形状とし、前記吸引口において身体表面部を吸引しながら移動させることにより身体表面部をマッサージすることができる美容マッサージ器であって、
前記ポンプを弾性材により中空状に形成されたバルーンポンプによって構成した、美容マッサージ器。
【請求項９】
請求項８に記載の美容マッサージ器において、
前記吸引口を長軸が前記側面に沿って延びる楕円形状にした、美容マッサージ器。
【請求項１０】
請求項８又は９に記載の美容マッサージ器において、
前記ポンプがマッサージ操作のハンドル機能を兼用する、美容マッサージ器。
【請求項１１】
請求項９又は１０に記載の美容マッサージ器を用い、マッサージ部材の先端を皮膚に当てるとともに、バルーンポンプを圧搾させることにより、吸引口内を負圧にして、その吸引口内を負圧にした状態を維持しながら、美容マッサージ器を前記吸引口の幅方向に移動させて、前記マッサージ部材の先端を皮膚上において滑らせる、美容マッサージ方法。
【請求項１２】
請求項８に記載の美容マッサージ器において、
前記吸引口を楕円形に形成するとともに、前記オリフィスをスリットによって構成し、そのオリフィスを前記吸引口の長軸方向に沿って延びるように配置した、美容マッサージ器。
【請求項１３】
請求項１２に記載の美容マッサージ器において、
前記マッサージ部材の前記吸引口側の面の中央部に窪み部を形成した、美容マッサージ器。
【請求項１４】
請求項１２又は１３に記載の美容マッサージ器において
前記マッサージ部材の前記吸引口側の面の一端部に凸部を形成した、美容マッサージ器。
【発明の詳細な説明】
【技術分野】
【０００１】
本発明は、身体の皮膚を含む表面部を吸引することにより、施術としての美容マッサージを行い得る美容マッサージ器及びその美容マッサージ器を用いた美容マッサージ方法に関する。
【背景技術】
【０００２】
美容のために身体表面部を吸引するようにした構成のものが特許文献１〜特許文献３に開示されている。特許文献１及び特許文献２の構成は、バルーン状をなすゴム製のポンプの先端開口部に吸引ノズルが取り付けられている。そして、吸引ノズルの先端を皮膚に当てることにより、ポンプによって負圧にされた吸引ノズルの吸引作用により皮膚の汚れ除去などの美容的効果を得ることができる。【０００３】
また、特許文献３の構成は、扁平状をなす皮膚吸引ヘッドの本体の先端に細長い吸引ヘッド部が形成されており、本体の基端部には吸引装置の接続管が連結されている。そして、吸引装置内の電動ポンプによって吸引ヘッド部において吸引空気流が生じて、皮膚を吸引できる。
【先行技術文献】
【特許文献】
【０００４】
【特許文献１】実用新案登録第３０６４７０９号公報
【特許文献２】特開２００３−３３９８０４号公報
【特許文献３】特許第６２８４２１６号公報
【発明の概要】
【発明が解決しようとする課題】
【０００５】
特許文献１及び特許文献２の構成においては、ポンプの先端開口部に吸引ノズルが単純な凹凸関係によって嵌合されているだけであるため、ポンプと吸引ノズルとの接続部が外れやすい。また、ポンプを負圧発生のために圧搾すると、ポンプの開口部が広がるように変形して、ポンプと吸引ノズルとの接続部に隙間が生じて、負圧発生に支障をきたすおそれがある。【０００６】
また、特許文献３の構成においては、吸引ヘッド部における吸引が電動ポンプによって行われるため、電動ポンプのパワーを調節できるようにすれば、吸引ヘッド部における吸引力を調整できるが、使用者の好みや状態に応じた微妙な調整は困難である。また、皮膚吸引ヘッドの基端部に吸引装置まで延びる接続管が接続されているため、接続管が邪魔になって皮膚吸引ヘッドの取扱いが面倒である。従って、特許文献３の構成においては、有効な美容マッサージを容易に行えない。【０００７】
本発明の目的は、ポンプと吸引ノズルとの接続部を接続状態に適切に維持できて、吸引口における吸引力を手で容易に調整できる美容マッサージ器及び高い美容効果を得ることができる美容マッサージ方法を提供することにある。また、本発明の目的は、有効な美容マッサージを容易に行える美容マッサージ及び美容マッサージ方法を提供することにある。
【課題を解決するための手段】
【０００８】
上記の目的を達成するため、本発明の第一の態様によれば、バルーンポンプの開口部の内側に、先端を吸引口とした筒状のマッサージ部材の基端側の嵌合部を連結した美容マッサージ器が提供される。前記嵌合部の外周面にはシール面を形成するとともに、前記嵌合部の端縁には係止部を形成し、前記バルーンポンプの開口部には前記シール面に圧接される圧接部と前記係止部に係合する被係合部とを形成した。【０００９】
上記の目的を達成するため、本発明の第二の態様によれば、ポンプと、そのポンプの開口部に連結され、身体表面部を吸引するための吸引口を有する施術部とを備え、その施術部は、側方からの投影面積が最大となる面を側面に有する形状とし、前記吸引口において身体表面部を吸引しながら移動させることにより身体表面部をマッサージすることができる美容マッサージ器が提供される。前記ポンプを弾性材により中空状に形成されたバルーンポンプによって構成した。
【図面の簡単な説明】
【００１０】
【図１】本発明の第１実施形態におけるフェイス用美容マッサージ器の斜視図。
【図２】フェイス用美容マッサージ器の分解斜視図。
【図３】フェイス用美容マッサージ器の正面図。
【図４】フェイス用美容マッサージ器の底面図。
【図５】フェイス用美容マッサージ器の縦断面図。
【図６】図５とは異なる部分で切断して示す縦断面図。
【図７】マッサージ部材を装飾リングの部分で切断して示す横断面図。
【図８】バルーンポンプとマッサージ部材との連結部を示す一部断面図。
【図９】フェイス用美容マッサージ器の使用状態を示す正面図。
【図１０】第１実施形態におけるフェイスライン用マッサージ器の正面図。
【図１１】フェイスライン用マッサージ器の縦断面図。
【図１２】図１１とは異なる部分で切断して示す縦断面図。
【図１３】第１実施形態におけるフェイスライン用美容マッサージ器の使用状態を示す正面図。
【図１４】第１実施形態における第１ボディ用美容マッサージ器の正面図。
【図１５】第１ボディ用美容マッサージ器の縦断面図。
【図１６】図１５とは異なる部分で切断して示す縦断面図。
【図１７】第１実施形態における第２ボディ用美容マッサージ器を示す縦断面図。
【図１８】図１７とは異なる部分で切断して示す縦断面図。
【図１９】第１実施形態におけるネック用美容マッサージ器を示す正面図。
【図２０】ネック用美容マッサージ器の縦断面図。
【図２１】図１９とは異なる部分で切断して示す縦断面図。
【図２２】本発明の第２実施形態におけるポイント用美容マッサージ器を示す斜視図。
【図２３】ポイント用美容マッサージ器の底面図。
【図２４】ポイント用美容マッサージ器の縦断面図。
【図２５】バルーンポンプとマッサージ部材との連結部を示す一部断面図。
【図２６】本発明の第３実施形態におけるフェイス用美容マッサージ器を示す分解斜視図。
【図２７】フェイス用美容マッサージ器の縦断面図。
【図２８】図２７とは異なる位置で切断した縦断面図。
【図２９】ポンプとマッサージ部材との連結部を示す一部断面図。
【図３０】バルーンポンプの縦断面図。
【図３１】本発明の第４実施形態におけるポイント用美容マッサージ器を示す正面図。
【図３２】ポイント用美容マッサージ器の分解正面図。
【図３３】ポイント用美容マッサージ器の縦断面図。
【図３４】ポンプとマッサージ部材との連結部を示す一部断面図。
【発明を実施するための形態】
【００１１】
（第１実施形態）
以下に、本発明を具体化した第１実施形態を図面に従って説明する。
【００１２】
（フェイス用美容マッサージ器）
はじめに、図１〜図９において、顔のマッサージに適したフェイス用美容マッサージ器を説明する。なお、このフェイス用美容マッサージ器をはじめとして、後述のフェイスライン用美容マッサージ器、第１ボディ用美容マッサージ器、第２ボディ用美容マッサージ器、ネック用美容マッサージ器には、それぞれ使用者の人体における使用に適する部位の名称を便宜的に付している。また、ポイント用美容マッサージ器には、ポイント的に使用されるという使用態様を表した名称を便宜的に付している。しかしながら、これらの美容マッサージ器は、部位名称に関わらず、使用者の任意の部位に対して使用可能である。
【００１３】
図１，図３及び図５に示すように、フェイス用美容マッサージ器１０は、シリコーンゴムなどのゴム材よりなり、下端に開口部を有する横断面楕円形をなすバルーンポンプ（以下、単にポンプという）を備えている。図９に示すように、このポンプ１１は使用者の指先によって圧搾されてエアを開口部１２から排出し、ポンプ１１自身の弾性によって復元拡張されて開口部１２からエアを吸入する。また、ポンプ１１は、後述のマッサージ操作においてハンドル機能を兼ねる。なお、本実施形態においては、図３の上下方向をフェイス用美容マッサージ器１０の上下方向とする。また、フェイス用美容マッサージ器１０は、上端部の嵌合部１３においてポンプ１１の開口部１２内に嵌合されたマッサージ部材１４を備えている。このマッサージ部材１４は、図４に示すように、横断面ほぼ楕円形筒状をなすとともに、アクリルなどの硬質で、透明な合成樹脂材料よりなり、表面が平滑に構成されている。このマッサージ部材１４は、マッサージを行う施術部を構成し、上記のように、横断面ほぼ楕円形状に形成されているため、側方からの投影面積が最大となる面が楕円の長軸方向に延びる側面となっている。
【００１４】
図１及び図２に示すように、ポンプ１１とマッサージ部材１４との境界部において、嵌合部１３にはポンプ１１の下端面を隠蔽するための装飾部材としての金属製の装飾リング１５が外嵌されている。
【００１５】
図４及び図５〜図７に示すように、マッサージ部材１４には下端を吸引口１６とした通気路１７が上下方向に貫通されており、その通気路１７の通気方向，すなわち上下方向の中間部には、吸引口１６の中心位置と対向するところにスロート状に位置するスリット状のオリフィス１８が形成されている。図４に示すように、吸引口１６は、マッサージ部材１４の楕円形状と長軸及び短軸が一致するほぼ楕円形状をなしている。オリフィス１８は、吸引口１６の長軸方向に延びている。そして、ポンプ１１を圧搾させることにより、ポンプ１１内のエアが通気路１７のオリフィス１８及び吸引口１６を介して外部に排出され、ポンプ１１が自身の弾性によって拡張することにより、ポンプ１１の内部が負圧になって、オリフィス１８を介して吸引口１６において吸引作用が生じる。
【００１６】
図１及び図２に示すように、ポンプ１１の外側面には、上下方向に延びる複数のなだらかな断面円形状のリブ２１が形成されるとともに、ポンプ１１の嵌合部１３に外嵌された部分の外側面にはリブ２１を有しない平面部２２が形成されている。図３及び図５から明らかなように、この平面部２２はマッサージ部材１４の嵌合部１３とラップしている。
【００１７】
図５，図６及び図８に示すように、マッサージ部材１４の嵌合部１３の上端には係合部として外方へ向かって突出する環状のフランジ２３が形成されている。そのフランジ２３の下側において嵌合部１３の外周面には平滑な筒状のシール面２４が形成されている。フランジ２３の下面は、シール面２４の一部を構成している。シール面２４の下端には段差面２６が形成され、その段差面２６の下側において嵌合部１３には段差状で環状をなす着座部２５が形成されている。
【００１８】
ポンプ１１の開口部１２には、内方に向かって突出する厚肉の圧接部２７が形成されており、この圧接部２７の内周面がマッサージ部材１４のシール面２４に圧接接合されて、マッサージ部材１４の外周とポンプ１１の内周との間のシールが確保されている。圧接部２７の上部内周面には複数の環状をなすシール補強突起２８が形成されており、このシール補強突起２８は、シール面２４に圧接されることにより圧潰されて、シールの確保を補強する。圧接部２７の上端には被係合部を構成する段差面２９が形成されており、この段差面２９はフランジ２３の下面に係合して、この部分においてもシールが確保されている。
【００１９】
装飾リング１５は着座部２５に外嵌されている。装飾リング１５の内周面の長軸上及び短軸上には突起３２が形成されており、この突起３２は着座部２５に形成した凹部３１に係合していて、装飾リング１５の位置ずれが防止されている。圧接部２７の下端が装飾リング１５の上面に接している。圧接部２７がシール面２４及びフランジ２３に圧接されることなく、その圧接部２７が変形される前における自然状態において、圧接部２７の内周面側の上下方向の寸法はシール面２４の上下方向の寸法より短くなっている。このため、段差面２６及び装飾リング１５の上面と圧接部２７の下端の内周面側の部分との間には、圧接部２７の変形による膨出を許容するためのクリアランス３５が確保される。
【００２０】
マッサージ部材１４の通気路１７におけるオリフィス１８の上部側の内周面はオリフィス１８に向かって曲面状に集束する集束面３６になっている。通気路１７におけるオリフィス１８の下部側の内周面は、下方の吸引口１６に向かって曲面状に広がるとともに、下方ほど円筒面に近づく形状の拡開面３７になっている。
【００２１】
図３に示すように、マッサージ部材１４の下端３９は中央部が緩やかに窪むカーブを描いている。この下端３９のカーブは、顔の曲面にほぼ沿う曲率となっている。図６に示すように、マッサージ部材１４の下端３９の断面における先端部である頂部４０は緩やかに膨らむ曲面状をなしている。下端３９の頂部４０と拡開面３７との間の境界は、境界線が現出しないように、曲率半径の小さな曲面になっている。
【００２２】
図３〜図６に示すように、本実施形態において、マッサージ部材１４の下端３９の長軸方向の長さＬ１は、６９．５ｍｍ（ミリメートル）であり、短軸方向の幅Ｗ１は、２８．６ｍｍであって、それらの比率は約２．４：１である。吸引口１６の長軸方向の長さＬ２は、４５．０ｍｍであり、短軸方向の幅Ｗ２は、１３．０ｍｍであって、それらの比率は、約３．５：１である。また、オリフィス１８は細長い楕円形状をなしている。そのオリフィス１８の長軸方向の長さＬ３は、２５．０ｍｍであり、短軸方向の幅Ｗ３は、２．０ｍｍであって、それらの比率は、１２．５：１である。また、吸引口１６の長軸方向の長さＬ２とオリフィス１８の長軸方向の長さＬ３との比率は、１．８：１である。吸引口１６の短軸方向の幅Ｗ２とオリフィス１８の短軸方向の幅Ｗ３との比率は、６．５：１である。
【００２３】
このフェイス用美容マッサージ器１０には、上記構成とは別に、吸引口１６の幅Ｗ２が異なるものが用意され、その幅Ｗ２は２０．０ｍｍである。
【００２４】
以上のように構成されたフェイス用美容マッサージ器１０は以下のようにして使用される。
【００２５】
図９に示すように、ポンプ１１が圧搾されるように、そのポンプ１１を手の指先で押しつぶした状態において、マッサージ部材１４を顔の頬などの皮膚に当てれば、マッサージ部材１４の吸引口１６が塞がれて、ポンプ１１の拡張方向への弾性反発力により、ポンプ１１及びマッサージ部材１４の内部が負圧になる。このため、吸引口１６において吸引力が発生して、図５に２点鎖線で示すように、皮膚を含む顔の表面部３００が吸引口１６の内部に盛り上がるようにして吸引される。このため、表面部３００に対して吸引マッサージが行われる。この状態において、フェイス用美容マッサージ器１０を吸引口１６の短軸方向である幅方向に移動させれば、吸引マッサージとともに、いわゆる刮莎マッサージを実行できる。すなわち、表面部３００を吸引した状態においては、その部分は摘まれたこととほぼ同じになり、その摘まれた部分が連続的に移動されて、吸引及び刮莎による施術としての複合美容マッサージが実行される。従って、血行とリンパの流れとが改善され、有効な美容作用を発揮することができる。
【００２６】
本実施形態のフェイス用美容マッサージ器１０においては、以下の作用及び効果を得ることができる。
【００２７】
（１）ポンプ１１によってマッサージ部材１４の吸引口１６の吸引力を維持した状態で、マッサージ部材１４を移動させれば、顔の表面部３００に対して適切な吸引マッサージと刮莎マッサージとによる複合マッサージを施すことが可能になって、美容に有効である。しかも、マッサージ部材１４を吸引口１６の長さ方向と交差する幅方向（図４の上下方向）に移動させれば、吸引口１６の１回の移動において顔の表面部３００の広い面積をマッサージできるため、顔全体のマッサージを短時間で有効に行うことができる。この場合、特許文献１の構成とは異なり、マッサージ部材１４の使用の邪魔になる接続管が存在しないため、マッサージ部材１４の取扱いが容易になる。そして、使用者の好みや皮膚の状態などに応じてポンプ１１の圧搾量を調節すれば、吸引口１６における吸引力を微妙に調整できて、有効なマッサージを容易に行うことができる。特に、顔の表面部３００を吸引した状態で吸引口１６の部分を押しながら移動させれば、顔の表面部３００を押す作用と吸引する作用とが複合的に発揮されて、有効なマッサージが可能になる。しかも、施術面である吸引口１６の部分が細長い形状であるため、その長さ方向と交差する（例えば、直交方向）にマッサージ器１０を移動させることが容易であって、有効なマッサージを苦もなく簡単に行うことができる。さらに、実施形態のマッサージ器１０は、ポンプ１１を操作することにより、手動式ポンプを操作する場合のように、吸引程度を簡単に調整して、使用者の肌や表面部３００の状態に適合したマッサージが可能になる。
【００２８】
（２）マッサージ部材１４の下端３９は緩やかに窪むカーブを有しているとともに、その下端３９の断面形状が緩やかに膨らんだ曲面状に形成されている。このため、下端３９を顔の皮膚に隙間なく接触させて、吸引口１６内の負圧を維持し、顔の表面部３００を無理なく十分に吸い上げることができる。従って、快適で有効なマッサージが可能になる。
【００２９】
（３）マッサージ部材１４の下端３９は断面曲面状をなしており、下端３９の頂部４０と拡開面３７との間の境界は、境界線が現出しないように、曲率半径の小さな曲面になっている。このため、下端３９が皮膚に対して快適に接触し、良好な使い心地を得ることができる。
【００３０】
（４）マッサージ部材１４は表面平滑な合成樹脂なので、滑り易く、刮莎マッサージを円滑に行うことができる。
【００３１】
（５）マッサージ部材１４の通気路１７にオリフィス１８が形成されているため、このオリフィス１８部分において通気路１７からポンプ１１内に流れるエアに対して抵抗を付与することができる。このため、外部からポンプ１１内に流れるエアの量を制限でき、その結果、通気路１７内の負圧を長時間維持できる。従って、吸引口１６において表面部３００を吸引した状態で、その吸引作用を長い時間保持できて、有効な美容マッサージを長時間継続できる。
【００３２】
（６）装飾リング１５の上面と圧接部２７の下端との間に、圧接部２７の変形による膨出を許容するためのクリアランス３５が確保されることにより、圧接部２７とシール面２４との間のエアシールを適切に保持できる。このクリアランス３５が存在しない場合は、エア吸引のために、ポンプ１１が自然状態から変形されることにより、圧接部２７が膨出した場合などにおいて、圧接部２７の下端が段差面２６や装飾リング１５の上面に対して無理に圧接されたりする可能性がある。このような場合、圧接部２７に意図しない変形が生じて、圧接部２７とシール面２４との間のエアシール状態を保つことができないおそれがあるが、クリアランス３５によって意図しない変形を回避できる。
【００３３】
（７）ポンプ１１の外側面には、マッサージ部材１４の方向に向かって延びる複数のなだらかな断面円形状のリブ２１が形成されるとともに、マッサージ部材１４の嵌合部の外側面にはリブ２１を有しない平面部２２が形成されている。従って、把持した状態のポンプ１１が滑りにくく、ポンプ１１が指先操作で容易に変形して、使いやすい。また、ポンプ１１の平面部２２を指先で把持すれば、フェイス用美容マッサージ器１０を無理なく自然に移動操作できる。しかも、平面部２２がマッサージ部材１４の嵌合部１３とラップしているため、平面部２２を押してもポンプ１１は変形されない。このため、使用者は、リブ２１の部分を操作するように自然に誘導され、使いやすいものとなる。
【００３４】
（８）マッサージ部材１４の嵌合部１３の外周面には平滑なシール面２４が形成されており、その嵌合部１３の上端には下面をシール面２４の一部としたフランジ２３が形成されている。従って、ポンプ１１が圧搾されて変形された状態において、フランジ２３と圧接部２７とが係合しているため、圧接部２７の変形が阻止される。そして、フランジ２３及びシール面２４と圧接部２７の内周面及び段差面２６との間のシール作用によりエア漏洩が適切に防止される。このため、開口部１２における吸引力を長時間持続できて、有効なマッサージを行い得る。
【００３５】
（９）圧接部２７の内周面の上部には環状をなす複数のシール補強突起２８が形成されているため、シール状態を補強できる。また、圧接部２７には、その圧接部２７の変形を許容できるクリアランス対策が施されているため、ポンプ１１とマッサージ部材１４との連結によって、圧接部２７が変形しても、フランジ２３と段差面２６とのシール状態を維持できる。従って、嵌合部１３と圧接部２７との間のエア漏洩をより確実に防止できて、開口部１２における吸引力を適切に維持できる。
【００３６】
（１０）ポンプ１１の圧接部２７は、ポンプ１１の他の部分より厚肉に形成されている。従って、圧接部２７は剛性が高くなって、ポンプ１１の圧搾状態において、この圧接部２７は変形しにくく、エア漏洩防止に有効である。
【００３７】
（１１）装飾リング１５の内周面の長軸上及び短軸上の突起３２が着座部２５に形成した凹部３１に係合している。従って、装飾リング１５が位置ずれすることを防止できて、良好な外観を維持できる。
【００３８】
（１２）マッサージ部材１４の通気路１７におけるオリフィス１８の上部側の内周面はオリフィス１８に向かって集束する集束面３６になっている。これにより、フェイス用美容マッサージ器１０の内部を水洗浄した場合や、内部に水が浸入した場合には、フェイス用美容マッサージ器１０を吸引口１６側が下になるようにすれば、フェイス用美容マッサージ器１０の内部の水を自然に排出させることができる。
【００３９】
（１３）マッサージ部材１４は透明なので、使用者は表面部３００の吸い上げ状態を目視で確認できるとともに、マッサージ部材１４の内部を洗浄する場合にはその内部の洗浄状態を確認しやすい。
【００４０】
（１４）通気路１７におけるオリフィス１８の下部側の内周面は、下方に向かって曲面状に広がる拡開面３７になっている。この拡開面３７は、下側ほど下方ほど円筒面に近づくカーブを有している。このため、開口部１２の容積が大きくなり、表面部３００を十分に吸引できて、マッサージ効果を高めることができる。
【００４１】
（第１実施形態の変更例）
以下に、第１実施形態の各種の変更例をフェイス用美容マッサージ器と異なる部分を中心に説明する。
【００４２】
以下の各変更例は、フェイスライン用美容マッサージ器５０，第１ボディ用美容マッサージ器６０，第２ボディ用美容マッサージ器７０及びネック用美容マッサージ器８０を示す。
【００４３】
（フェイスライン用美容マッサージ器）
図１０〜図１３は、顔の輪郭部分であるフェイスラインをマッサージすることに適したフェイスライン用美容マッサージ器５０を示す。このフェイスライン用美容マッサージ器５０においては、マッサージ部材１４の下面形状がフェイス用美容マッサージ器１０のマッサージ部材１４の下面形状より短軸方向の寸法比率が大きい膨らんだ形状をなしている。マッサージ部材１４の下端３９の中央部には大きく抉れた窪み部４２が形成されている。
【００４４】
このフェイスライン用美容マッサージ器５０は、窪み部４２をフェイスラインに当てることができて、フェイスラインの部分に沿って安定して移動させることができる。従って、フェイスライン部分に対する吸引マッサージと刮莎マッサージとの複合マッサージに適する。
【００４５】
このフェイスライン用美容マッサージ器５０のフェイス用美容マッサージ器１０と同様にマッサージ部材１４の下端３９及び吸引口１６は楕円形状をなしている。その下端３９の長軸方向の長さＬ１は、７３．２ｍｍであり、短軸方向の幅Ｗ１は、２７．１ｍｍであって、それらの比率は約２．７：１である。吸引口１６の長軸方向の長さＬ２は、２５．０ｍｍであり、短軸方向の幅Ｗ２は、２０．０ｍｍであって、それらの比率は、１．２５：１である。また、オリフィス１８は細長い楕円形状をなしている。そのオリフィス１８の長軸方向の長さＬ３は、２５．０ｍｍであり、短軸方向の幅Ｗ３は、２．０ｍｍであって、それらの比率は、１２．５：１である。また、吸引口１６の長軸方向の長さＬ２とオリフィス１８の長軸方向の長さＬ３との比率は、１：１である。吸引口１６の短軸方向の幅Ｗ２とオリフィス１８の短軸方向の幅Ｗ３との比率は、１０．０：１である。
【００４６】
このフェイスライン用美容マッサージ器５０は、吸引口１６の長軸方向の長さＬ２が異なるものが用意されている。その長軸方向の長さＬ２は、３７．５ｍｍである。
【００４７】
（第１ボディ用美容マッサージ器）
図１４〜図１６は、太腿や腹部などのボディをマッサージすることに適した第１ボディ用美容マッサージ器６０を示す。この第１ボディ用美容マッサージ器６０は、マッサージ部材１４の吸引口１６の長軸方向の長さ及び単軸方向の幅が異なっている。マッサージ部材１４の下部両側面には傾斜面４１が形成されている。マッサージ部材１４の下端３９の頂部４０と傾斜面４１との間の境界は、境界線が現出しないように、曲率半径の小さな曲面になっている。
【００４８】
マッサージ部材の拡開面３７には、上下方向に延びる複数の襞３８が形成されているため、その襞３８を模様として透視できる。
【００４９】
第１ボディ用美容マッサージ器６０のマッサージ部材１４の下端の長軸方向の長さＬ１は、１２２．８ｍｍであり、短軸方向の幅Ｗ１は、４５．１ｍｍであって、それらの比率は約２．７：１である。吸引口１６の長軸方向の長さＬ２は、５５．０ｍｍであり、短軸方向の幅Ｗ２は、２８．０ｍｍであって、それらの比率は、約２．０：１である。また、オリフィス１８は細長い楕円形状をなしている。そのオリフィス１８の長軸方向の長さＬ３は、３０．０ｍｍであり、短軸方向の幅Ｗ３は、１．８ｍｍであって、それらの比率は、約１．７：１である。また、吸引口１６の長軸方向の長さＬ２とオリフィス１８の長軸方向の長さＬ３との比率は、約１．８：１である。吸引口１６の短軸方向の幅Ｗ２とオリフィス１８の短軸方向の幅Ｗ３との比率は、約１５．６：１である。
【００５０】
この第１ボディ用美容マッサージ器６０は、マッサージ部材１４の下端３９及び吸引口１６の短軸方向の幅Ｗ２，W３が異なるものが用意され、その幅は、それぞれ５１．５ｍｍ、３５．５ｍｍである。
【００５１】
このマッサージ器６０においては、以下の効果がある。
【００５２】
（１５）マッサージ部材１４の下端３９の頂部４０の外側に傾斜面４１が形成されているため、顔の曲面の傾きや部位に応じてマッサージ部材１４を傾けることができて、使いやすい。
【００５３】
（第２ボディ用美容マッサージ器）
図１７及び図１８は、太腿や腹部などのボディをマッサージすることに適した第２ボディ用美容マッサージ器７０を示す。この第２ボディ用美容マッサージ器７０は、マッサージ部材１４が大型化して、その下端３９及び吸引口１６の大きさが第１ボディ用美容マッサージ器６０の下端３９及び吸引口１６と異なっている。
【００５４】
第２ボディ用美容マッサージ器７０のマッサージ部材１４の下端の長軸方向の長さＬ１は、１４２．０ｍｍであり、短軸方向の幅Ｗ１は、５８．２ｍｍであって、それらの比率は約２．４：１である。吸引口１６の長軸方向の長さＬ２は、５５．０ｍｍであり、短軸方向の幅Ｗ２は、３６．０ｍｍであって、それらの比率は、約１．５：１である。また、オリフィス１８は細長い楕円形状をなしている。そのオリフィス１８の長軸方向の長さＬ３は、３０．０ｍｍであり、短軸方向の幅Ｗ３は、１．８ｍｍであって、それらの比率は、約１６．７：１である。また、吸引口１６の長軸方向の長さＬ２とオリフィス１８の長軸方向の長さＬ３との比率は、約１．８：１である。吸引口１６の短軸方向の幅Ｗ２とオリフィス１８の短軸方向の幅W３との比率は、２０．０：１である。
【００５５】
（ネック用美容マッサージ器）
図１９〜図２１は、ネックをマッサージすることに適したネック用美容マッサージ器８０を示す。このネック用美容マッサージ器８０においては、マッサージ部材１４の下端３９の一端部に頂部を球形状にした凸部４３が形成されている。
【００５６】
このネック用美容マッサージ器８０は、それを寝かせた姿勢で、ネックを上下あるいは斜め上下にマッサージすることに使用される。このとき、凸部４３が首の後ろ側になるようにすれば、ネック用美容マッサージ器８０を安定状態で使用できる。
【００５７】
ネック用美容マッサージ器８０のマッサージ部材１４の下端の長軸方向の長さＬ１は、１０８．５ｍｍであり、短軸方向の幅Ｗ１は、４５．１ｍｍであって、それらの比率は約２．４：１である。吸引口１６の長軸方向の長さＬ２は、５０．０ｍｍであり、短軸方向の幅Ｗ２は、２０．０ｍｍであって、それらの比率は、２．５：１である。また、オリフィス１８は細長い楕円形状をなしている。そのオリフィス１８の長軸方向の長さＬ３は、３０．０ｍｍであり、短軸方向の幅Ｗ３は、１．８ｍｍであって、それらの比率は、約１６．７：１である。また、吸引口１６の長軸方向の長さＬ２とオリフィス１８の長軸方向の長さＬ３との比率は、約１．７：１である。吸引口１６の短軸方向の幅Ｗ２とオリフィス１８の短軸方向の幅Ｗ３との比率は、約１１．１：１である。
【００５８】
このネック用美容マッサージ器８０は、マッサージ部材１４の下端３９及び吸引口１６の短軸方向の幅Ｗ１，Ｗ２が異なるものが用意され、それらの幅Ｗ１，Ｗ２は、それぞれ４０．０ｍｍ、３０．０ｍｍである。
【００５９】
以上のように構成されたネック用美容マッサージ器８０を用いれば、以下の効果を得ることができる。
【００６０】
（１６）ネック用美容マッサージ器８０の使用に際しては、凸部４３により、ネックの後ろから背中にかけて位置する僧帽筋や、耳の後部から鎖骨につながる胸鎖乳突筋を簡単にマッサージしたり、刺激したりできて、肩こりや首こりなどの解消に有効である。
【００６１】
（第２実施形態）
（ポイント用美容マッサージ器）
図２２〜図２５は、本発明の第２実施形態を示すものであって、使用者の体の各部をポイント的にマッサージすることに適したポイント用美容マッサージ器９０を示す。このポイント用美容マッサージ器９０は、軸線αを中心とした回転体形状である。ポンプ１１は上下方向の中間部を太く、上端を尖らせた椎の実形状をなしている。マッサージ部材１４は、円筒カップ形状で、装飾リング１５は、単純な短円筒形状である。オリフィス１８は円形である。また、ポンプ１１の下端には小径部４４が形成され、この小径部４４と装飾リング１５の上部側とがラップしている。圧接部２７の変形を許容するためのクリアランスは、装飾リング１５と間隔をあけて対応する小径部４４によって形成される。通気路１７の上部の集束面３６は形成されていない。
【００６２】
このポイント用美容マッサージ器９０は、マッサージ部材１４の下端３９が円形をなしているため、従って、吸引口１６も円形であるため、身体のどの部分であっても、ポイント的にマッサージできる。
【００６３】
ポイント用美容マッサージ器９０のマッサージ部材１４の下端の外径Ｄ１は３０．５ｍｍで、吸引口１６の内径Ｄ２は１７．０ｍｍである。オリフィス１８の内径Ｄ３は３．５ｍｍである。従って、吸引口１６の内径Ｄ２とオリフィス１８の内径Ｄ３との比率は、約４．９：１である。
【００６４】
ポイント用美容マッサージ器９０には、形状の異なるマッサージ部材１４を用いたもの２種類が容易されている。ひとつめの種類のマッサージ部材１４の下端３９の外径Ｄ１は３３．７ｍｍ、吸引口１６の内径Ｄ２は２０．４ｍｍである。ふたつめの種類のマッサージ部材１４の下端３９の外径Ｄ１は３９．０ｍｍ、吸引口１６の内径Ｄ２は２５．４ｍｍである。オリフィス１８の内径Ｄ３は、両者とも図２２〜図２５の構成と同じである。
【００６５】
（第３実施形態）
次に、本発明の第３実施形態を図２６〜図３０の図面に基づいて説明する。
【００６６】
この第３実施形態は、第１実施形態のフェイス用美容マッサージ器１０と類似したフェイス用美容マッサージ器２００であって、このフェイス用美容マッサージ器２００にはバルーンポンプ１１，マッサージ部材１４及び装飾リング１５が第１実施形態のフェイス用美容マッサージ器１０と同様に設けられている。従って、本実施形態の構成と図１及び図３などに示す第１実施形態の構成とは、全体の外観は同じに表れるが、本実施形態においては、外観として表れないインサート部材１０１，連結リング１０２及びシールリング１０３の各部品が増えている。また、本実施形態において、ポンプ１１は、ゴム材としての熱可塑性ポリウレタン（ＴＰＵ）によって構成されている。
【００６７】
すなわち、図２６〜図２８に示すように、インサート部材１０１は、ポンプ１１の成形時に、ポンプ１１の開口部１２にインサートされる。従って、ポンプ１１とインサート部材１０１とは密着状態で固定されている。図２６及び図２７に示すように、インサート部材１０１の周壁１０４の上端及び下端にはそれぞれフランジ１０５，１０６が形成されている。この周壁１０４には複数の透孔１０７が形成されるとともに、周壁の外周面には複数の突起１０８が形成されている。そして、透孔１０７にポンプ１１を構成するゴム材が進入されるとともに、突起１０８がポンプ１１の内壁部に食い込み状態で埋設されている。ちなみに、図３０において、インサート成形後のポンプ１１を単独で示している。
【００６８】
図２７及び図２８に示すように、インサート部材１０１はマッサージ部材１４に外嵌されており、図２９に示すように、下端のフランジ１０６がマッサージ部材１４の着座部２５の上面の段差面２６に係合している。マッサージ部材１４の外周に形成した環状凹部１０９内にシールリング１０３が嵌入されており、このシールリング１０３はインサート部材１０１の内周面に係合して、マッサージ部材１４とインサート部材１０１との間がこのシールリング１０３によってシールされている。
【００６９】
図２９に示すように、連結リング１０２には、外周下面に載置面１１０が形成されるとともに、下面の複数箇所に第１爪１１１が形成されている。第１爪１１１の下面には傾斜面よりなる第１ガイド面１１２が形成されている。連結リングの上面における第１爪１１１と同位置には第２爪１１３が形成されるとともに、第２爪１１３の上面には傾斜面よりなる第２ガイド面１１４が形成されている。インサート部材１０１の下端内周側には傾斜面よりなるガイド面１１５が形成されている。そして、第１爪１１１がマッサージ部材１４に形成した係合孔１１６に係合されるとともに、第２爪１１３がインサート部材１０１の上端に係合されており、これらの係合により連結リング１０２を介してマッサージ部材１４とインサート部材１０１とが連結されている。
【００７０】
装飾リング１５は第１実施形態と同様に着座部２５に取り付けられている。
【００７１】
本実施形態のフェイス用美容マッサージ器２００の外観寸法は、第１実施形態のフェイス用美容マッサージ器１０の外観寸法と同じであって、各部の長さＬ１，Ｌ２，Ｌ３及び幅Ｗ１，Ｗ２，Ｗ３が同じである。
【００７２】
本実施形態において、フェイス用美容マッサージ器２００を組み付ける場合は、装飾リング１５及びシールリング１０３が取り付けられたマッサージ部材１４に対して、第１爪１１１と係合孔１１６との係合により連結リング１０２を取り付ける。この場合、連結リング１０２の第１ガイド面１１２をマッサージ部材１４の上端に当てて、連結リング１０２を押し下げれば、第１ガイド面１１２の作用により、第１爪１１１は後退した後に係合孔１１６の位置に達し、自身の弾性によって係合孔１１６に係合する。また、載置面１１０がマッサージ部材１４の上端面に載置される。
【００７３】
次いで、ポンプ１１の開口部１２にインサートされたインサート部材１０１の下端のガイド面１１５を連結リング１０２の第２ガイド面１１４に当てて押し下げれば、第２爪１１３が後退して、インサート部材１０１の下方移動が許容される。さらに、インサート部材１０１を押し下げれば、シールリング１０３がインサート部材１０１の内周面に係合するとともに、インサート部材１０１が着座部２５の上面の段差面２６に着座され、第２爪１１３がインサート部材１０１の上端面に係合して、インサート部材１０１が係合状態にロックされる。従って、本実施形態では、マッサージ部材１４とインサート部材１０１とを連結リング１０２を介して強固に取り付けることができる。なお、マッサージ部材１４とインサート部材１０１との組み付けにおいては、上記のようにインサート部材１０１を押し下げても、マッサージ部材１４をインサート部材１０１に対して押し上げても、両者１４，１０１を接近方向に移動させてもよい。
【００７４】
この状態で、ポンプ１１を圧搾すれば、上記実施形態と同様に、吸引口１６内が負圧になって、フェイスマッサージを実行できる。
【００７５】
そして、本実施形態では、第１実施形態の効果に加えて以下の効果がある。
【００７６】
（１７）本実施形態においては、ポンプ１１の開口部１２にインサート部材１０１がインサートされて、ポンプ１１とインサート部材１０１とが密着されている。そして、ポンプ１１を構成するゴム材がインサート部材１０１の透孔１０７内に進入するとともに、ポンプ１１の内壁部にフランジ１０５及び多数の突起１０８が食い込み、ポンプ１１の下端が装飾リング１５の上面に当接されている。しかも、インサート部材１０１の内周面とマッサージ部材１４の外周面との間にシールリング１０３が介在されている。従って、ポンプ１１が強く圧搾されて、ポンプ１１が大きく変形されても、ポンプ１１とインサート部材１０１との間の密着性，すなわちシール性は維持される。仮に、ポンプ１１の変形がマッサージ部材１４に伝播されて、マッサージ部材１４が変形されても、その変形はシールリング１０３によって吸収され、マッサージ部材１４とインサート部材１０１との間のシール性は維持される。よって、ポンプ１１の開口部１２とマッサージ部材１４との間においてエア漏れが生じることを極力防止できる。本実施形態のように、ポンプ１１として比較的硬質のＴＰＵを用いた場合、インサート部材１０１が存在しなければ、ポンプ１１の剛性変形のために、ポンプ１１とマッサージ部材１４との間に隙間が生じて、エア漏れが生じやすい。本実施形態ではこのおそれを回避できる。言い換えれば、ポンプ１１として硬質のものを問題なく使用できる。
【００７７】
（１８）ポンプ１１を構成するゴム材がインサート部材１０１の透孔１０７内に進入するとともに、ポンプ１１の内壁部にフランジ１０５及び多数の突起１０８が食い込んで、ポンプ１１とインサート部材１０１とが固定されている。そして、連結リング１０２の第１爪１１１と第２爪１１３とにより、インサート部材１０１とマッサージ部材１４とがロックされて固定されている。その結果、ポンプ１１，インサート部材１０１及びマッサージ部材１４が相対移動したり、離間したりすることなく、全体が一体化されており、各部材の間におけるエア漏洩を防止して、気密を保持できて、吸引口１６において適切な吸引力を得ることができる。
【００７８】
（第４実施形態）
次に、本発明の第４実施形態を図３１〜図３４の図面に基づいて説明する。
【００７９】
本実施形態は、第２実施形態のポイント用美容マッサージ器９０と類似した構成のポイント用美容マッサージ器１９０に具体化したものである。そして、本実施形態においても、第３実施形態と同様にインサート部材１０１が設けられている。また、本実施形態では、シールリング１２１が設けられている。
【００８０】
すなわち、図３１〜図３３に示すように、ポンプ１１の成形において、円筒状のインサート部材１０１はポンプ１１の開口部１２にインサートされて、ポンプ１１とインサート部材１０１とは密着状態で固定されている。インサート部材１０１の上下にはフランジ１０５，１０６が形成されるとともに、インサート部材１０１の周壁１０４の外周には複数の突起１０８が形成されている。フランジ１０５，１０６及び突起１０８はポンプ１１の内壁部に食い込んで、ポンプ１１とインサート部材１０１との間のシール性が確保されている。
【００８１】
図３３及び図３４に示すように、マッサージ部材１４の上端部の嵌合部１３の外周にはネジ山１２２が形成されている。インサート部材１０１の内周にはネジ山１２２に螺合するネジ溝１２３が形成されている。マッサージ部材１４の着座部２５の上面の段差面２６とインサート部材１０１の下端面との間には、シールリング１２１が挟持されている。このため、マッサージ部材１４とインサート部材１０１とは、シールリング１２１を介してネジ山１２２及びネジ溝１２３の螺合によって固定されている。従って、マッサージ部材１４とインサート部材１０１との間のシール性が確保されている。
【００８２】
本実施形態のポイント用美容マッサージ器１９０の外観形状は第２実施形態のポイント用美容マッサージ器９０の外観形状と類似していて、各部の径Ｄ１，Ｄ２，Ｄ３は同じである。
【００８３】
以上のように、本実施形態においては、ポンプ１１にインサート部材１０１がインサートされ、ポンプ１１とインサート部材１０１とが密着されるとともに、そのインサート部材１０１がシールリング１２１を介してマッサージ部材１４に固定されている。このため、ポンプ１１とインサート部材１０１との間のシール性を確保できて、第３実施形態と同様に、比較的硬質のポンプ１１であっても、エアの漏洩を極力防ぐことができる。
【００８４】
上記各実施形態以外の変更例は以下の通りである。
【００８５】
第１実施形態において、ポンプ１１の下端部と装飾リング１５とを重ねてもよい。このようにすれば、ポンプ１１とマッサージ部材１４との連結が強固になるとともに、シール面２４と圧接部２７とのシール性が向上する。
【００８６】
ポンプ１１の形状を変更してもよい。例えば、第１実施形態において、ポンプ１１の上部側を円筒形状や球形状にしたり、第２実施形態においてポンプ１１を単純な円筒形状にしたり、球形状や扁平状にしたり、第１，第２両実施形態においてポンプ１１の外周面のリブ２１を省略して平滑形状にしたりしてもよい。
【００８７】
マッサージ部材１４を、着色したり、白濁させたりして、半透明や不透明にしたりしてもよい。
【００８８】
オリフィス１８を通路断面積が変更される可変オリフィスにして、ポンプ１１内にエアを排出するときには短時間で大量のエアが排出でき、エアを吸引するときにはオリフィスが狭くなって、エアが少しずつしか吸引できないようにしてもよい。このような可変オリフィスとして、一方向には容易に変形されるが、他方向には変形しにくいリップによるバルブが考えられる。
【００８９】
装飾リング１５を省略してもよい。
【図１】
2020162539.tif 000003
【図２】
2020162539.tif 000004
【図３】
2020162539.tif 000005
【図４】
2020162539.tif 000006
【図５】
2020162539.tif 000007
【図６】
2020162539.tif 000008
【図７】
2020162539.tif 000009
【図８】
2020162539.tif 000010
【図９】
2020162539.tif 000011
【図１０】
2020162539.tif 000012
【図１１】
2020162539.tif 000013
【図１２】
2020162539.tif 000014
【図１３】
2020162539.tif 000015
【図１４】
2020162539.tif 000016
【図１５】
2020162539.tif 000017
【図１６】
2020162539.tif 000018
【図１７】
2020162539.tif 000019
【図１８】
2020162539.tif 000020
【図１９】
2020162539.tif 000021
【図２０】
2020162539.tif 000022
【図２１】
2020162539.tif 000023
【図２２】
2020162539.tif 000024
【図２３】
2020162539.tif 000025
【図２４】
2020162539.tif 000026
【図２５】
2020162539.tif 000027
【図２６】
2020162539.tif 000028
【図２７】
2020162539.tif 000029
【図２８】
2020162539.tif 000030
【図２９】
2020162539.tif 000031
【図３０】
2020162539.tif 000032
【図３１】
2020162539.tif 000033
【図３２】
2020162539.tif 000034
【図３３】
2020162539.tif 000035
【図３４】
2020162539.tif 000036
【国際調査報告】
2020162539.tif 000037
2020162539.tif 000038
2020162539.tif 000039
2020162539.tif 000040